(57)【特許請求の範囲】
【請求項１】
磁気テープの長手方向に沿って記録されたコントロール信号を再生するためのコントロール信号再生手段と、磁気テープのヘリカル方向に記録された映像信号を再生するための映像信号再生手段と、前記コントロール信号再生手段の出力信号の有無を判定するコントロール信号有無判定手段と、前記映像信号再生手段の出力信号の有無を判定する映像信号有無判定手段と、前記コントロール信号有無判定手段および映像信号有無判定手段の出力信号により磁気テープに記録されているフォーマットがコントロール信号を有するものか有しないものかまた未記録なのかを判別する第１のフォーマット判別手段と、前記第１のフォーマット判別手段の判別結果に基づいて再生フォーマットを設定するフォーマット設定手段とを備えていることを特徴とする磁気記録再生装置。
【請求項２】
さらに、キャプスタンの回転速度に比例した周波数の信号を発生するキャプスタン周波数信号発生器と、前記キャプスタン周波数信号発生器の出力信号と前記コントロール信号との周波数比に基づいて前記第１のフォーマット判別手段により判別されたコントロール信号を有する複数種類のフォーマットの種別をさらに細かく分別する状態でフォーマット判別を行う第２のフォーマット判別手段とを備えており、前記フォーマット設定手段は前記第２のフォーマット判別手段の判別結果に基づいて再生フォーマットを設定するように構成されていることを特徴とする請求項１に記載の磁気記録再生装置。
【請求項３】
さらに、前記磁気テープにおけるヘリカルトラックの中に記録されているフォーマット情報を抽出するフォーマット情報抽出手段と、前記フォーマット情報に基づいて前記第１のフォーマット判別手段により判別された複数種類のフォーマットの種別をさらに細かく分別する状態でフォーマット判別を行う第３のフォーマット判別手段とを備えており、前記フォーマット設定手段は前記第３のフォーマット判別手段の判別結果に基づいて再生フォーマットを設定するように構成されていることを特徴する請求項１に記載の磁気記録再生装置。
【請求項４】
さらに、前記磁気テープにおけるヘリカルトラックの中に記録されているフォーマット情報を抽出するフォーマット情報抽出手段と、前記フォーマット情報に基づいて前記第１のフォーマット判別手段および第２のフォーマット判別手段により判別された複数種類のフォーマットの種別をさらに細かく分別する状態でフォーマット判別を行う第３のフォーマット判別手段とを備えており、前記フォーマット設定手段は前記第３のフォーマット判別手段の判別結果に基づいて再生フォーマットを設定するように構成されていることを特徴とする請求項２に記載の磁気記録再生装置。
【請求項５】
前記第３のフォーマット判別手段は、前記第１のフォーマット判別手段の判別結果がコントロール信号を有しないフォーマットであり、そのフォーマットが前記フォーマット情報抽出手段の抽出結果から判別したフォーマットと一致しないときに、前記フォーマット情報抽出手段の抽出結果から判別したフォーマットの方を優先するようにしたことを特徴とする請求項３または請求項４に記載の磁気記録再生装置。
【請求項６】
上記請求項１から請求項５までのいずれかに記載の磁気記録再生装置に代えて、記録機能はもたず、再生専用に構成されていることを特徴とする磁気再生装置。
【発明の詳細な説明】
【０００１】
【発明の属する技術分野】
本発明は、複数種類のフォーマットの磁気テープに対して汎用の磁気記録再生装置または磁気再生装置にかかわり、特にはオート再生についての有効な技術に関する。
【０００２】
【従来の技術】
デジタル方式の磁気記録再生装置における複数種類のフォーマットについて代表的なものが、ＤＶＣＰＲＯシリーズ、ＤＶおよびＤＶＣＡＭである。
【０００３】
ＤＶＣＰＲＯシリーズとは、ＤＶＣＰＲＯ、ＤＶＣＰＲＯ‐５０およびＤＶＣＰＲＯ‐Ｐのことを指し、これらはいずれも放送用・業務用のフォーマットである。ＤＶは民生用のフォーマット、ＤＶＣＡＭは業務用のフォーマットである。これらのフォーマットは、当該技術分野において、すでに広く知られたものとして規格化されている。したがって、ここでは、各フォーマットについての詳細な記述は省略する。
【０００４】
基本的な事項について簡単に説明すると、記録レートとしては、ＤＶＣＰＲＯ、ＤＶおよびＤＶＣＡＭは２５Ｍｂｐｓであり、ＤＶＣＰＲＯ‐５０およびＤＶＣＰＲＯ‐Ｐは５０Ｍｂｐｓである。また、映像形式としては、ＤＶＣＰＲＯ‐５０はインターレース（飛越走査）方式であり、ＤＶＣＰＲＯ‐Ｐはプログレッシブ（順次走査）方式である。
【０００５】
次に、複数種類のフォーマットの代表例である上記のＤＶＣＰＲＯ、ＤＶＣＰＲＯ‐５０、ＤＶＣＰＲＯ‐Ｐ、ＤＶおよびＤＶＣＡＭの各磁気テープに対して汎用の磁気記録再生装置の従来技術を説明する。図７は従来技術にかかわる磁気記録再生装置の主要部の構成を示すブロック図である。
【０００６】
キャプスタン周波数信号発生器５１は、磁気テープを移送するキャプスタン（図示せず）の回転速度に比例した周波数の信号を発生し、その周波数信号は波形整形回路５４によって波形整形され、波形整形後のキャプスタン周波数信号Ｔａは第１のフォーマット判別回路５９に与えられる。コントロールヘッド５２は、磁気テープの長手方向に沿って記録されているコントロール信号をピックアップし、そのピックアップされたコントロール信号はコントロール信号再生回路５５によって増幅され、パルス化されてコントロール信号Ｔｂとして第１のフォーマット判別回路５９に与えられる。ビデオヘッド５３は、磁気テープのヘリカル方向に沿って記録されている映像信号をピックアップし、そのピックアップされた映像信号は映像信号再生回路５６によって増幅され、再生映像信号Ｔｃとしてフォーマット情報抽出回路５７に与えられる。フォーマット情報抽出回路５７は、前記の再生映像信号Ｔｃのうちでヘリカルトラックに記録されているＶＡＵＸ信号に基づいてフォーマット情報Ｔｄを抽出し、抽出したフォーマット情報Ｔｄを第２のフォーマット判別回路６０に与える。ＶＡＵＸ信号は、映像信号における予備（Ａｕｘｉｌｉａｒｙ）のオプショナルデータのことであり、このＶＡＵＸ信号によって磁気テープに記録されているフォーマットがＤＶＣＰＲＯ、ＤＶＣＰＲＯ‐５０、ＤＶＣＰＲＯ‐Ｐのうちのいずれのフォーマットであるかを判別できるようになっている。
【０００７】
ユーザーは、再生時にメニュー選択回路５８において、ＤＶＣＰＲＯシリーズ、ＤＶ、ＤＶＣＡＭのいずれかを選択する。その選択されたものはメニュー選択情報Ｔｅとして第１のフォーマット判別回路５９に与えられる。
【０００８】
メニュー選択回路５８でＤＶまたはＤＶＣＡＭが選択されたときは、第１のフォーマット判別回路５９は、その選択されたフォーマット（ＤＶまたはＤＶＣＡＭ）をフォーマット中間判別情報Ｔｆとして第２のフォーマット判別回路６０に与える。また、メニュー選択回路５８でＤＶＣＰＲＯシリーズが選択されたときは、第１のフォーマット判別回路５９は、波形整形回路５４からのキャプスタン周波数信号Ｔａとコントロール信号再生回路５５からのコントロール信号Ｔｂとの周波数比を算出し、その算出した周波数比に基づいて磁気テープに記録されているフォーマットが２５Ｍｂｐｓ（ＤＶＣＰＲＯ）であるのか、それとも５０Ｍｂｐｓ（ＤＶＣＰＲＯ‐５０またはＤＶＣＰＲＯ‐Ｐ）であるのかを判別し、その結果をフォーマット中間判別情報Ｔｆとして第２のフォーマット判別回路６０に与える。第２のフォーマット判別回路６０は、フォーマット情報抽出回路５７からフォーマット情報Ｔｄを入力し、フォーマット中間判別情報Ｔｆが５０Ｍｂｐｓ（ＤＶＣＰＲＯ‐５０またはＤＶＣＰＲＯ‐Ｐ）となっているときに、フォーマット情報Ｔｄによって５０Ｍｂｐｓフォーマットの中でＤＶＣＰＲＯ‐５０であるのかそれともＤＶＣＰＲＯ‐Ｐであるのかを判別する。以上のようにして、第２のフォーマット判別回路６０は、ＤＶとＤＶＣＡＭとＤＶＣＰＲＯとＤＶＣＰＲＯ‐５０とＤＶＣＰＲＯ‐Ｐとを判別し、そのフォーマット判別情報Ｔｇをフォーマット設定回路６１に与える。フォーマット設定回路６１は、受け取ったフォーマット判別情報Ｔｇに基づいて当該の磁気記録再生装置の再生フォーマットを設定する。
【０００９】
図８は上記の従来技術にかかわる磁気記録再生装置において、そのメニュー選択回路５８、第１のフォーマット判別回路５９、第２のフォーマット判別回路６０およびフォーマット設定回路６１それぞれにおけるフォーマット判別に関する処理の流れを各回路別に分けてフローチャートとして表したものである。
【００１０】
ステップＳ２０１およびステップＳ２０２はメニュー選択回路５８での処理である。ユーザーがメニュー選択回路５８において当該の磁気記録再生装置の再生モードにつき、メニュー表示されたＤＶＣＰＲＯシリーズ、ＤＶ、ＤＶＣＡＭのうちからいずれか１つを選択する。メニュー選択回路５８は、ステップＳ２０１において、メニュー選択されたものがＤＶＣＰＲＯシリーズか否かの判断を行う。また、メニュー選択回路５８は、ステップＳ２０２において、メニュー選択されたものがＤＶとＤＶＣＡＭのいずれであるかの判断を行う。そして、その判断の結果のメニュー選択情報Ｔｅを第１のフォーマット判別回路５９に与える。
【００１１】
ＤＶＣＰＲＯシリーズのときは、メニュー選択情報Ｔｅは、Ｔｅ＝１を出力するものとする。ＤＶのときは、メニュー選択情報Ｔｅは、Ｔｅ＝２を出力するものとする。ＤＶＣＡＭのときは、メニュー選択情報Ｔｅは、Ｔｅ＝３を出力するものとする。
【００１２】
ステップＳ２０３は第１のフォーマット判別回路５９での処理である。第１のフォーマット判別回路５９は、ステップＳ２０３において、メニュー選択回路５８からのメニュー選択情報ＴｅがＴｅ＝１となっているときには、波形整形回路５４からのキャプスタン周波数信号Ｔａとコントロール信号再生回路５５からのコントロール信号Ｔｂとを用いて、キャプスタン周波数信号Ｔａとコントロール信号Ｔｂの周波数比を判定することに基づいて、磁気テープに記録されているフォーマットが２５Ｍｂｐｓフォーマットなのか５０Ｍｂｐｓフォーマットなのかを判別する。そして、その判別結果のフォーマット中間判別情報Ｔｆを第２のフォーマット判別回路６０に与える。
【００１３】
２５Ｍｂｐｓフォーマットのときは、フォーマット中間判別情報Ｔｆは、Ｔｆ＝１を出力するものとする。５０Ｍｂｐｓフォーマットのときは、フォーマット中間判別情報Ｔｆは、Ｔｆ＝２を出力するものとする。
【００１４】
なお、２５Ｍｂｐｓフォーマットであるということは、磁気テープに記録されているフォーマットとしてＤＶＣＰＲＯが候補であること意味している。また、５０Ｍｂｐｓフォーマットであるということは、磁気テープに記録されているフォーマットとしてＤＶＣＰＲＯ‐５０およびＤＶＣＰＲＯ‐Ｐが候補であることを意味している。
【００１５】
ステップＳ２０４〜Ｓ２０６は第２のフォーマット判別回路６０での処理である。第２のフォーマット判別回路６０は、第１のフォーマット判別回路５９からのフォーマット中間判別情報ＴｆがＴｆ＝２となっているときには、ステップＳ２０４において、フォーマット仮設定を行う。すなわち、再生フォーマットとして仮にＤＶＣＰＲＯ‐５０を設定する。ＤＶＣＰＲＯ‐５０にフォーマット仮設定を行う理由は、もし、現在の再生フォーマットの設定が５０Ｍｂｐｓフォーマット（ＤＶＣＰＲＯ‐５０またはＤＶＣＰＲＯ‐Ｐ）以外のフォーマット（典型的には２５Ｍｂｐｓフォーマット）になっているとすると、５０Ｍｂｐｓフォーマットで記録されている磁気テープのフォーマット情報を正しく読み取ることができなくなる可能性があり、その不都合を避けるためである。フォーマット仮設定は、フォーマット設定回路６１において行う。
【００１６】
第２のフォーマット判別回路６０は、ステップＳ２０５において、フォーマット情報抽出回路５７からのフォーマット情報Ｔｄ（ＶＡＵＸ信号）に基づいて、磁気テープに記録されているフォーマットがＤＶＣＰＲＯ‐５０であるのかＤＶＣＰＲＯ‐Ｐであるのかを判別する。
【００１７】
ＤＶＣＰＲＯ‐５０のときは、フォーマット判別情報Ｔｇは、Ｔｇ＝２を出力するものとする。ＤＶＣＰＲＯ‐Ｐのときは、フォーマット判別情報Ｔｇは、Ｔｇ＝３を出力するものとする。
【００１８】
また、第２のフォーマット判別回路６０は、第１のフォーマット判別回路５９からのフォーマット中間判別情報ＴｆがＴｆ＝１となっているときには、フォーマット判別情報Ｔｇとして、Ｔｇ＝１を出力し、また、メニュー選択回路５８からのメニュー選択情報ＴｅがＴｅ＝２となっているときには、フォーマット判別情報Ｔｇとして、Ｔｇ＝４を出力する。また、メニュー選択回路５８からのメニュー選択情報ＴｅがＴｅ＝３となっているときには、フォーマット判別情報Ｔｇとして、Ｔｇ＝５を出力する。
【００１９】
以上のようにして、第２のフォーマット判別回路６０は、フォーマット設定回路６１に対して５種類のフォーマット判別情報Ｔｇを出力する。Ｔｇ＝１のときはＤＶＣＰＲＯであることを示し、Ｔｇ＝２のときはＤＶＣＰＲＯ‐５０であることを示し、Ｔｇ＝３のときはＤＶＣＰＲＯ‐Ｐであることを示し、Ｔｇ＝４のときはＤＶであることを示し、Ｔｇ＝５のときはＤＶＣＡＭであることを示す。なお、フォーマット判別情報Ｔｇによる最終的な判定結果をステップＳ２０６として記載しておく。
【００２０】
ステップＳ２０７はフォーマット設定回路６１の処理である。フォーマット設定回路６１は、ステップＳ２０７において、前記の判定結果に一致する再生フォーマットを最終的に設定する。
【００２１】
【発明が解決しようとする課題】
上記した従来技術にかかわる磁気記録再生装置においては、ＤＶＣＰＲＯシリーズ、ＤＶ、ＤＶＣＡＭのフォーマットについて、オート再生することができないという問題があった。ここで、オート再生とは、人為操作に頼ることなく、磁気テープに記録されているフォーマットを自動的に判別して、その判別したフォーマットに一致するように再生フォーマットを設定することをいう。従来技術の磁気記録再生装置の場合には、メニュー選択回路５８においてユーザーがメニュー表示されているＤＶＣＰＲＯシリーズ、ＤＶ、ＤＶＣＡＭのうちからいずれか１つを選択するものとなっている。ここでは、ユーザーによる人為操作が行われている。したがって、オート再生はできないのである。
【００２２】
もし、ユーザーがメニュー選択回路５８において設定したフォーマットと異なるフォーマットの磁気テープを再生しようとするときは、フォーマット不一致により正しく再生することができない。再生を行うには、ユーザーはメニュー設定をいちいち変更しなければならないわずらわしさがあり、手間も時間もかかるという不都合があった。
【００２３】
本発明は上記した課題の解決を図るべく創作したものであって、複数種類のフォーマットの磁気テープに対して汎用の磁気記録再生装置において、いずれのフォーマットの磁気テープをセットしても、ユーザー操作をわずらわせることなく、再生フォーマットを判別フォーマットに自動的に一致させてのオート再生を可能にすることを目的としている。
【００２４】
【課題を解決するための手段】
この項では、理解を容易にするために、複数種類のフォーマットの代表例として、ＤＶＣＰＲＯ、ＤＶＣＰＲＯ‐５０、ＤＶＣＰＲＯ‐Ｐ、ＤＶおよびＤＶＣＡＭの５種類のフォーマットをあげることにする。ただし、この５種類のフォーマットを例示したことによって、本発明は、その技術的範囲の解釈において制約を受けるものではない。
【００２５】
ＤＶＣＰＲＯシリーズとして認識するとき、２５Ｍｂｐｓフォーマットと５０Ｍｂｐｓフォーマットとに区別するのに、ＤＶＣＰＲＯとＤＶＣＰＲＯ‐５０との２つの判別でもよいし、ＤＶＣＰＲＯとＤＶＣＰＲＯ‐Ｐとの２つの判別でもよいし、ＤＶＣＰＲＯとＤＶＣＰＲＯ‐５０とＤＶＣＰＲＯ‐Ｐとの３つの判別でもよい。コントロール信号を有するものと有しないものとに区別するのに、ＤＶＣＰＲＯシリーズにおけるいずれか１つまたは２つまたは３つのもの（以下、ＤＶＣＰＲＯシリーズにおけるいずれかという）とＤＶとの２つの判別でもよいし、ＤＶＣＰＲＯシリーズにおけるいずれかとＤＶＣＡＭとの２つの判別でもよいし、ＤＶＣＰＲＯシリーズにおけるいずれかとＤＶとＤＶＣＡＭとの３つの判別でもよい。
【００２６】
さらに、複数種類のフォーマットとしては、必ずしも上記の５つのものに限る必要性はなく、広く、任意の態様の複数種類のフォーマットとしてとらえられるものである。その複数種類の種類数も任意とする。
【００２７】
以下では、５種類のフォーマットのＤＶＣＰＲＯ、ＤＶＣＰＲＯ‐５０、ＤＶＣＰＲＯ‐Ｐ、ＤＶおよびＤＶＣＡＭで記述し、あるいは記録レートについて２５Ｍｂｐｓと５０Ｍｂｐｓで記述するが、その解釈は上記のようでなければならない。
【００２８】
磁気記録再生装置についての本発明は、次のような手段を講じることにより、上記の課題を解決するものである。
【００２９】
本願第１の発明の磁気記録再生装置は、磁気テープの長手方向に沿って記録されたコントロール信号を再生するためのコントロール信号再生手段と、磁気テープのヘリカル方向に記録された映像信号を再生するための映像信号再生手段と、前記コントロール信号再生手段の出力信号の有無を判定するコントロール信号有無判定手段と、前記映像信号再生手段の出力信号の有無を判定する映像信号有無判定手段と、前記コントロール信号有無判定手段および映像信号有無判定手段の出力信号により磁気テープに記録されているフォーマットがコントロール信号を有するものか有しないものかまた未記録なのかを判別する第１のフォーマット判別手段と、前記第１のフォーマット判別手段の判別結果に基づいて再生フォーマットを設定するフォーマット設定手段とを備えていることを特徴としている。
【００３０】
この第１の発明による作用は次のとおりである。ＤＶＣＰＲＯ、ＤＶＣＰＲＯ‐５０、ＤＶＣＰＲＯ‐ＰのＤＶＣＰＲＯシリーズでは、その磁気テープにコントロールトラックが確保され、コントロール信号が記録されている。これに対して、ＤＶやＤＶＣＡＭでは、コントロールトラックやコントロール信号の概念がない。この違いに着目して、コントロール信号があるＤＶＣＰＲＯシリーズとコントロール信号がないＤＶやＤＶＣＡＭとの違いを判定させるのである。
【００３１】
コントロール信号再生手段は、コントロール信号を有するフォーマットの磁気テープからはコントロール信号を再生するため、コントロール信号有無判定手段はコントロール信号有りと判定する。また、コントロール信号再生手段は、コントロール信号を有しないフォーマットの磁気テープからはコントロール信号を再生しないため、コントロール信号有無判定手段はコントロール信号無しと判定する。
【００３２】
一方、磁気テープが未記録の場合には、当然に、コントロール信号もなければ映像信号もなく、このようなときには、第１のフォーマット判別手段は未記録と判別することになる。また、コントロール信号があるときは、第１のフォーマット判別手段はコントロール信号を有するフォーマット、代表例ではＤＶＣＰＲＯシリーズと判別し、コントロール信号がないときは、コントロール信号を有しないフォーマット、代表例ではＤＶまたはＤＶＣＡＭと判別する。
【００３３】
フォーマット設定手段は、第１のフォーマット判別手段による判別結果に基づいて実際に磁気記録再生装置を再生するための再生フォーマットを設定する。つまり、セットされている磁気テープを自動検査して得られた判定結果のフォーマットに対応するように再生フォーマットを自動設定する。ここでは、ユーザーによる人為操作は不要化されている。すなわち、コントロール信号有りのフォーマットの磁気テープがセットされているときには、その判定結果のフォーマットに適合するフォーマットに再生フォーマットを自動設定するので、代表例でいえば、ＤＶＣＰＲＯシリーズとＤＶまたはＤＶＣＡＭとのいずれの場合でも、オート再生を実現することが容易となるのである。また、未記録もチェックすることができる。
【００３４】
本願第２の発明の磁気記録再生装置は、上記の第１の発明において、さらに、キャプスタンの回転速度に比例した周波数の信号を発生するキャプスタン周波数信号発生器と、前記キャプスタン周波数信号発生器の出力信号と前記コントロール信号との周波数比に基づいて前記第１のフォーマット判別手段により判別されたコントロール信号を有する複数種類のフォーマットの種別をさらに細かく分別する状態でフォーマット判別を行う第２のフォーマット判別手段とを備えており、前記フォーマット設定手段は前記第２のフォーマット判別手段の判別結果に基づいて再生フォーマットを設定するように構成されていることを特徴としている。
【００３５】
この第２の発明による作用は次のとおりである。ＤＶＣＰＲＯシリーズにおけるＤＶＣＰＲＯとＤＶＣＰＲＯ‐５０とＤＶＣＰＲＯ‐Ｐとは、コントロール信号を有するという点において共通となっている。したがって、コントロール信号の有無の判別だけでは、これら３つの区別がつかない。ところで、記録レートについては、ＤＶＣＰＲＯの２５ＭｂｐｓとＤＶＣＰＲＯ‐５０およびＤＶＣＰＲＯ‐Ｐの５０Ｍｂｐｓとの間で区別がつく。この記録レートをチェックするために、キャプスタン周波数信号とコントロール信号との周波数比を見るようにしている。すなわち、コントロール信号有りで周波数比判定が２５Ｍｂｐｓ相当のときは、ＤＶＣＰＲＯと判別し、コントロール信号有りで周波数比判定が５０Ｍｂｐｓ相当のときはＤＶＣＰＲＯ‐５０またはＤＶＣＰＲＯ‐Ｐと判別する。フォーマット設定手段は、第２のフォーマット判別手段による判別結果に基づいて実際に磁気記録再生装置を再生するための再生フォーマットを設定する。したがって、代表例でいえば、ＤＶＣＰＲＯと、ＤＶＣＰＲＯ‐５０またはＤＶＣＰＲＯ‐Ｐと、ＤＶまたはＤＶＣＡＭとのいずれの場合でも、オート再生を実現することが容易となる。
【００３６】
本願第３の発明の磁気記録再生装置は、上記の第１の発明において、さらに、前記磁気テープにおけるヘリカルトラックの中に記録されているフォーマット情報を抽出するフォーマット情報抽出手段と、前記フォーマット情報に基づいて前記第１のフォーマット判別手段により判別された複数種類のフォーマットの種別をさらに細かく分別する状態でフォーマット判別を行う第３のフォーマット判別手段とを備えており、前記フォーマット設定手段は前記第３のフォーマット判別手段の判別結果に基づいて再生フォーマットを設定するように構成されていることを特徴としている。
【００３７】
この第３の発明による作用は次のとおりである。第１のフォーマット判別手段により、フォーマットがコントロール信号を有するものであるのかコントロール信号を有しないものであるのかの判別を行う。
【００３８】
フォーマット情報抽出手段が抽出したフォーマット情報として、例えばＶＡＵＸ信号（映像信号の補助データ；オプション）を利用すると、第３のフォーマット判別手段はＤＶＣＰＲＯとＤＶＣＰＲＯ‐５０とＤＶＣＰＲＯ‐Ｐとを区別することができる。
【００３９】
ただし、ＤＶＣＰＲＯとＤＶＣＰＲＯ‐５０またはＤＶＣＰＲＯ‐Ｐとでは記録レートが異なるので、現在の再生フォーマットの設定が実際の磁気テープのフォーマットと異なっておれば、フォーマット情報を正しく読み取ることができなくなる可能性があり、その不都合を避けるために再生フォーマットをＤＶＣＰＲＯシリーズのいずれか１つに仮設定しておく必要がある。
【００４０】
もし、５０ＭｂｐｓのＤＶＣＰＲＯ‐５０（あるいはＤＶＣＰＲＯ‐Ｐ）にフォーマット仮設定したときにフォーマット情報が読み取れたときは、その読み取ったフォーマット情報によってＤＶＣＰＲＯ‐５０であるかＤＶＣＰＲＯ‐Ｐであるかを判別し、読み取れなかったときはＤＶＣＰＲＯと判別する。
【００４１】
また、もし、２５ＭｂｐｓのＤＶＣＰＲＯにフォーマット仮設定したときにフォーマット情報を読み取れたときは、そのフォーマットはＤＶＣＰＲＯであるということになり、読み取れなかったときは、そのフォーマットはＤＶＣＰＲＯでないことになり、このときは、５０ＭｂｐｓのＤＶＣＰＲＯ‐５０またはＤＶＣＰＲＯ‐Ｐにフォーマット仮設定し、読み取ったフォーマット情報によってＤＶＣＰＲＯ‐５０であるかＤＶＣＰＲＯ‐Ｐであるかを判別する。
【００４２】
また、フォーマット情報抽出手段が抽出したフォーマット情報として、例えばトラックの構造に関する情報であるＩＴＩ（Ｉｎｓｅｒｔ  ａｎｄ  ＴｒａｃｋＩｎｆｏｒｍａｔｉｏｎ）信号のトラックピッチ情報を利用すると、第３のフォーマット判別手段はコントロール信号を有しないフォーマットであるＤＶとＤＶＣＡＭとを区別することができる。
【００４３】
フォーマット設定手段は、第３のフォーマット判別手段による判別結果に基づいて実際に磁気記録再生装置を再生するための再生フォーマットを設定する。したがって、代表例でいえば、ＤＶＣＰＲＯ、ＤＶＣＰＲＯ‐５０、ＤＶＣＰＲＯ‐Ｐ、ＤＶおよびＤＶＣＡＭのいずれの場合でも、オート再生を実現することができる。
【００４４】
本願第４の発明の磁気記録再生装置は、上記の第２の発明において、さらに、前記磁気テープにおけるヘリカルトラックの中に記録されているフォーマット情報を抽出するフォーマット情報抽出手段と、前記フォーマット情報に基づいて前記第１のフォーマット判別手段および第２のフォーマット判別手段により判別された複数種類のフォーマットの種別をさらに細かく分別する状態でフォーマット判別を行う第３のフォーマット判別手段とを備えており、前記フォーマット設定手段は前記第３のフォーマット判別手段の判別結果に基づいて再生フォーマットを設定するように構成されていることを特徴としている。これは、上記第３の発明に対して、キャプスタン周波数信号発生器と第２のフォーマット判別手段を付加したものに相当している。
【００４５】
この第４の発明による作用は次のとおりである。第１のフォーマット判別手段によりコントロール信号有りのフォーマットとコントロール信号無しのフォーマットとを判別する。第２のフォーマット判別手段により２５Ｍｂｐｓのフォーマットか５０Ｍｂｐｓのフォーマットかを判別する。そして、第３のフォーマット判別手段により５０Ｍｂｐｓのフォーマットをさらに細かく分別する状態でフォーマット判別を行う。代表例でいうと、フォーマット情報のＶＡＵＸ信号を利用してＤＶＣＰＲＯ‐５０とＤＶＣＰＲＯ‐Ｐとを判別する。また、コントロール信号無しのフォーマットにつき、代表例でいうと、フォーマット情報のＩＴＩ信号のトラックピッチ情報を利用してＤＶとＤＶＣＡＭとを判別する。
【００４６】
ここで、第３のフォーマット判別手段は第２のフォーマット判別手段の判別結果を利用するので、第３のフォーマット判別手段の判別においては、判別の開始前にすでに２５Ｍｂｐｓのフォーマットか５０Ｍｂｐｓのフォーマットかの区別がついている。したがって、フォーマット仮設定は５０Ｍｂｐｓについてのみ行えばよいことになる。上記第３の発明の場合のようにフォーマット情報が読み取れたか否かをチェックする必要性はない。
【００４７】
この第４の発明によると、代表例でいえば、ＤＶＣＰＲＯ、ＤＶＣＰＲＯ‐５０、ＤＶＣＰＲＯ‐Ｐ、ＤＶおよびＤＶＣＡＭのいずれの場合でも、オート再生を実現することができる。
【００４８】
本願第５の発明の磁気記録再生装置は、上記の第３・第４の発明において、前記第３のフォーマット判別手段は、前記第１のフォーマット判別手段の判別結果がコントロール信号を有しないフォーマットであり、そのフォーマットが前記フォーマット情報抽出手段の抽出結果から判別したフォーマットと一致しないときに、前記フォーマット情報抽出手段の抽出結果から判別したフォーマットの方を優先するようにしたことを特徴としている。
【００４９】
この第５の発明による作用は次のとおりである。コントロール信号再生手段の前段にあるコントロールヘッドに目詰まりが発生した場合、磁気テープがコントロール信号を有するものであっても、目詰まりしたコントロールヘッドでは、そのコントロール信号をピックアップすることがむずかしくなることがある。そうなると、コントロール信号有りのフォーマットであるにもかかわらず、コントロール信号を有しないフォーマットと誤判別するおそれがある。
【００５０】
第１のフォーマット判別手段がコントロール信号を有しないフォーマットと判別した場合において、さらに、フォーマット情報抽出手段が抽出した抽出結果、例えばＩＴＩ信号のトラックピッチ情報に基づいて判別した結果のフォーマットと異なっているときは、すなわち、その判別結果がコントロール信号有りのフォーマットとなっているときは、コントロール信号有りのフォーマットの方を優先するのである。これにより、コントロールヘッドに目詰まりが生じているような条件下にあっても、ＤＶＣＰＲＯ、ＤＶＣＰＲＯ‐５０、ＤＶＣＰＲＯ‐Ｐ、ＤＶおよびＤＶＣＡＭのいずれのフォーマットに対しても信頼性の高いオート再生を実現することができる。
【００５４】
本願第６の発明は磁気再生装置についてのものであって、それは、上記の第１〜第５の発明の磁気記録再生装置に代えて、記録機能はもたず、再生専用に構成されたものとなっている。本発明のテクノロジーは、なにも磁気記録再生装置に限定する必要性はなく、広く、磁気再生装置に適用してもよいのである。
【００５５】
【発明の実施の形態】
以下、本発明の磁気記録再生装置の具体的な実施の形態について、図面を用いて詳細に説明する。
【００５６】
（実施の形態１）
図１は実施の形態１の磁気記録再生装置の構成を示すブロック図である。図１において、符号の１１は磁気テープを移送するキャプスタン（図示せず）の回転速度に比例した周波数の信号を発生するキャプスタン周波数信号発生器、１２は磁気テープの長手方向に沿って記録されているコントロール信号をピックアップするコントロールヘッド、１３は磁気テープのヘリカル方向に沿って記録されている映像信号をピックアップするビデオヘッド、１４はキャプスタン周波数信号発生器１１が発生した周波数信号を入力して波形整形を行う波形整形回路、１５はコントロールヘッド１２がピックアップしたコントロール信号を増幅するとともにコントロールパルスを生成するコントロール信号再生回路、１６はビデオヘッド１３がピックアップした映像信号を増幅する映像信号再生回路、１７はコントロール信号再生回路１５が生成したコントロールパルスの入力に基づいてコントロール信号が再生されたか否かを判定するコントロール信号有無判定回路、１８は映像信号再生回路１６が再生した映像信号の入力に基づいて映像信号が再生されたか否かを判定する映像信号有無判定回路、１９は映像信号再生回路１６が再生した映像信号のうちでヘリカルトラックに記録されているＶＡＵＸ信号とＩＴＩ信号とに基づいてフォーマット情報Ｓｆを抽出するフォーマット情報抽出回路、２１はコントロール信号有無判定回路１７からコントロール信号有無判定信号Ｓｄを入力するとともに映像信号有無判定回路１８から映像信号有無判定信号Ｓｅを入力して、磁気テープに記録されているフォーマットがコントロール信号を有するものか有しないものか、あるいは記録済みなのか未記録なのかを判別する第１のフォーマット判別回路、２２は波形整形回路１４からキャプスタン周波数信号Ｓａを入力するとともにコントロール信号再生回路１５からコントロール信号Ｓｂを入力し、キャプスタン周波数信号Ｓａとコントロール信号Ｓｂとの周波数比を算出し、その算出した周波数比に基づいて磁気テープに記録されているフォーマットが２５Ｍｂｐｓ（ＤＶＣＰＲＯ）であるのか、それとも５０Ｍｂｐｓ（ＤＶＣＰＲＯ‐５０またはＤＶＣＰＲＯ‐Ｐ）であるのかを判別し、その結果をフォーマット中間判別情報Ｓｈとして出力する第２のフォーマット判別回路、２３は第２のフォーマット判別回路２２からフォーマット中間判別情報Ｓｈを入力するとともにフォーマット情報抽出回路１９からフォーマット情報Ｓｆを入力し、フォーマット中間判別情報Ｓｈが５０Ｍｂｐｓ（ＤＶＣＰＲＯ‐５０またはＤＶＣＰＲＯ‐Ｐ）となっているときに、フォーマット情報Ｓｆによって５０Ｍｂｐｓフォーマットの中でＤＶＣＰＲＯ‐５０であるのかそれともＤＶＣＰＲＯ‐Ｐであるのかを判別する第３のフォーマット判別回路、２４は第３のフォーマット判別回路２３から入力するフォーマット判別情報Ｓｉに基づいて当該の磁気記録再生装置の再生フォーマットを設定するフォーマット設定回路である。
【００５７】
次に、上記のように構成された実施の形態１の磁気記録再生装置の動作を図２に基づいて説明する。図２は実施の形態１の磁気記録再生装置において、その第１のフォーマット判別回路２１、第２のフォーマット判別回路２２、第３のフォーマット判別回路２３およびフォーマット設定回路２４それぞれにおけるフォーマット判別に関する処理の流れを各回路別に分けてフローチャートとして表したものである。
【００５８】
ステップＳ１０１およびステップＳ１０２は第１のフォーマット判別回路２１での処理である。第１のフォーマット判別回路２１は、ステップＳ１０１において、コントロール信号有無判定回路１７からのコントロール信号有無判定信号Ｓｄに基づいて磁気テープに記録されているフォーマットがコントロール信号を有するものか、有しないものかの判別を行う。また、第１のフォーマット判別回路２１は、ステップＳ１０２において、映像信号有無判定回路１８からの映像信号有無判定信号Ｓｅに基づいて磁気テープが記録済みなのか未記録を判別する。そして、その判別結果の第１段階フォーマット判別情報Ｓｇを第２のフォーマット判別回路２２に与える。
【００５９】
コントロール信号が有るときは、第１段階フォーマット判別情報Ｓｇは、Ｓｇ＝１を出力するものとする。コントロール信号が無く、かつ映像信号が有って記録済みのときは、第１段階フォーマット判別情報Ｓｇは、Ｓｇ＝２を出力するものとする。コントロール信号が無く、かつ映像信号が無くて未記録のときは、第１段階フォーマット判別情報Ｓｇは、Ｓｇ＝３を出力するものとする。
【００６０】
なお、コントロール信号が有るということは、磁気テープに記録されているフォーマットとしてＤＶＣＰＲＯ、ＤＶＣＰＲＯ‐５０およびＤＶＣＰＲＯ‐Ｐが候補であることを意味している。また、コントロール信号が無くて映像信号が有って記録済みということは、磁気テープに記録されているフォーマットとしてＤＶおよびＤＶＣＡＭが候補であることを意味している。
【００６１】
ステップＳ１０３は第２のフォーマット判別回路２２での処理である。第２のフォーマット判別回路２２は、ステップＳ１０３において、第１のフォーマット判別回路２１からの第１段階フォーマット判別情報ＳｇがＳｇ＝１となっているときには、波形整形回路１４からのキャプスタン周波数信号Ｓａとコントロール信号再生回路１５からのコントロール信号Ｓｂとを用いて、キャプスタン周波数信号Ｓａとコントロール信号Ｓｂの周波数比を判定することに基づいて、磁気テープに記録されているフォーマットが２５Ｍｂｐｓフォーマットなのか５０Ｍｂｐｓフォーマットなのかを判別する。そして、その判別結果のフォーマット中間判別情報Ｓｈを第３のフォーマット判別回路２３に与える。
【００６２】
２５Ｍｂｐｓフォーマットのときは、フォーマット中間判別情報Ｓｈは、Ｓｈ＝１を出力するものとする。５０Ｍｂｐｓフォーマットのときは、フォーマット中間判別情報Ｓｈは、Ｓｈ＝２を出力するものとする。
【００６３】
なお、２５Ｍｂｐｓフォーマットであるということは、磁気テープに記録されているフォーマットとしてＤＶＣＰＲＯが候補であること意味している。また、５０Ｍｂｐｓフォーマットであるということは、磁気テープに記録されているフォーマットとしてＤＶＣＰＲＯ‐５０およびＤＶＣＰＲＯ‐Ｐが候補であることを意味している。
【００６４】
ステップＳ１０４〜Ｓ１０８は第３のフォーマット判別回路２３での処理である。第３のフォーマット判別回路２３は、第２のフォーマット判別回路２２からのフォーマット中間判別情報ＳｈがＳｈ＝２となっているときには、ステップＳ１０４において、フォーマット仮設定を行う。すなわち、再生フォーマットとして仮にＤＶＣＰＲＯ‐５０を設定する。ＤＶＣＰＲＯ‐５０にフォーマット仮設定を行う理由は、もし、現在の再生フォーマットの設定が５０Ｍｂｐｓフォーマット（ＤＶＣＰＲＯ‐５０またはＤＶＣＰＲＯ‐Ｐ）以外のフォーマット（典型的には２５Ｍｂｐｓフォーマット）になっているとすると、５０Ｍｂｐｓフォーマットで記録されている磁気テープのフォーマット情報を正しく読み取ることができなくなる可能性があり、その不都合を避けるためである。なお、フォーマット仮設定については、ＤＶＣＰＲＯ‐５０に代えて、ＤＶＣＰＲＯ‐Ｐとしてもよい。フォーマット仮設定は、フォーマット設定回路２４において行う。
【００６５】
第３のフォーマット判別回路２３は、ステップＳ１０５において、フォーマット情報抽出回路１９からのフォーマット情報Ｓｆ（ＶＡＵＸ信号）に基づいて、磁気テープに記録されているフォーマットがＤＶＣＰＲＯ‐５０であるのかＤＶＣＰＲＯ‐Ｐであるのかを判別する。
【００６６】
ＤＶＣＰＲＯ‐５０のときは、フォーマット判別情報Ｓｉは、Ｓｉ＝２を出力するものとする。ＤＶＣＰＲＯ‐Ｐのときは、フォーマット判別情報Ｓｉは、Ｓｉ＝３を出力するものとする。
【００６７】
第３のフォーマット判別回路２３は、第１のフォーマット判別回路２１からの第１段階フォーマット判別情報ＳｇがＳｇ＝２となっているときには、ステップＳ１０６において、フォーマット仮設定を行う。すなわち、再生フォーマットとして仮にＤＶフォーマットを設定する。ＤＶにフォーマット仮設定を行う理由は、もし、現在の再生フォーマットの設定がＤＶおよびＤＶＣＡＭ以外のフォーマットになっているとすると、ＤＶまたはＤＶＣＡＭで記録されている磁気テープのフォーマット情報を正しく読み取ることができなくなる可能性があり、その不都合を避けるためである。なお、フォーマット仮設定については、ＤＶに代えて、ＤＶＣＡＭとしてもよい。フォーマット仮設定は、フォーマット設定回路２４において行う。
【００６８】
第３のフォーマット判別回路２３は、ステップＳ１０７において、フォーマット情報抽出回路１９からのフォーマット情報Ｓｆに含まれているＩＴＩ信号のトラックピッチ情報ＳｆT に基づいて、磁気テープに記録されているフォーマットがＤＶであるのかＤＶＣＡＭであるのかを判別する。
【００６９】
ＤＶのときは、フォーマット判別情報Ｓｉは、Ｓｉ＝４を出力するものとする。ＤＶＣＡＭのときは、フォーマット判別情報Ｓｉは、Ｓｉ＝５を出力するものとする。
【００７０】
また、第３のフォーマット判別回路２３は、第２のフォーマット判別回路２２からのフォーマット中間判別情報ＳｈがＳｈ＝１となっているときには、フォーマット判別情報Ｓｉとして、Ｓｉ＝１を出力し、また、第１のフォーマット判別回路２１からの第１段階フォーマット判別情報ＳｇがＳｇ＝３となっているときには、フォーマット判別情報Ｓｉとして、Ｓｉ＝６を出力する。
【００７１】
以上のようにして、第３のフォーマット判別回路２３は、フォーマット設定回路２４に対して６種類のフォーマット判別情報Ｓｉを出力する。Ｓｉ＝１のときはＤＶＣＰＲＯであることを示し、Ｓｉ＝２のときはＤＶＣＰＲＯ‐５０であることを示し、Ｓｉ＝３のときはＤＶＣＰＲＯ‐Ｐであることを示し、Ｓｉ＝４のときはＤＶであることを示し、Ｓｉ＝５のときはＤＶＣＡＭであることを示し、Ｓｉ＝６のときは未記録であることを示す。なお、フォーマット判別情報Ｓｉによる最終的な判定結果をステップＳ１０８として記載しておく。
【００７２】
ステップＳ１０９はフォーマット設定回路２４の処理である。フォーマット設定回路２４は、ステップＳ１０９において、前記の判定結果に一致する再生フォーマットを最終的に設定する。
【００７３】
以上のように本実施の形態１の磁気記録再生装置においては、セットされている磁気テープに記録されているフォーマットを自動検査し、その結果得られた判別結果のフォーマットに一致するように再生フォーマットを自動設定するので、磁気テープのフォーマットがＤＶＣＰＲＯ、ＤＶＣＰＲＯ‐５０、ＤＶＣＰＲＯ‐Ｐ、ＤＶ、ＤＶＣＡＭのいずれであっても、それを正確にフォーマット判別し、これまでユーザーに与えていたわずらわしさからユーザーを解放し、オート再生を実現することができるようになった。
【００７４】
（実施の形態２）
実施の形態２は、コントロールヘッドの目詰まり対策を図ったものである。つまり、コントロールヘッドの目詰まりのために、コントロール信号を有している磁気テープであるにもかかわらずコントロール信号無しとなった場合において、正しくフォーマット判別が行えるようにするものである。
【００７５】
図３は実施の形態２の磁気記録再生装置において、その第１のフォーマット判別回路２１、第２のフォーマット判別回路２２、第３のフォーマット判別回路２３およびフォーマット設定回路２４それぞれにおけるフォーマット判別に関する処理の流れを各回路別に分けてフローチャートとして表したものである。
【００７６】
図３において、実施の形態１の場合の図２と異なる点は、第３のフォーマット判別回路２３の処理として、ステップＳ１１０，Ｓ１１１を追加してあることである。なお、実施の形態２の磁気記録再生装置の構成は、図１に示すブロック図と同じである。
【００７７】
ステップＳ１１０は、ステップＳ１０１の判断においてコントロール信号が無いと判断したときのルーチンに存在している。コントロール信号が無いことの原因に、コントロールヘッド１２が目詰まりを起こしていることがある。そこで、第３のフォーマット判別回路２３は、ステップＳ１１０において、フォーマット情報抽出回路１９から入力したＩＴＩ信号のトラックピッチ情報ＳｆT に基づいて、磁気テープに記録されているフォーマットがＤＶＣＰＲＯシリーズのものかどうかを判断する。ＤＶＣＰＲＯシリーズでなければ、当然にコントロール信号はないので、実施の形態１の場合と同様にステップＳ１０６へと進む。しかし、ＤＶＣＰＲＯシリーズであるときは、本来であれば、コントロール信号があるはずである。それにもかかわらず、コントロール信号無しと検出しているのであるから、これは、コントロールヘッド１２に目詰まりが生じていると推測することができる。そこで、第３のフォーマット判別回路２３は、ステップＳ１１１に進んで、フォーマット情報抽出回路１９から入力したＶＡＵＸ信号のフォーマット情報Ｓｆに基づいて、磁気テープに記録されているフォーマットがＤＶＣＰＲＯ、ＤＶＣＰＲＯ‐５０、ＤＶＣＰＲＯ‐Ｐのいずれであるのかを判別する。すなわち、フォーマット情報抽出回路１９による抽出結果から判別したフォーマットの方を優先している。
【００７８】
本実施の形態２によれば、コントロールヘッド１２が目詰まりを起こしていて正しくコントロール信号をピックアップすることができない条件においても、フォーマット判別を正確に行い、磁気記録再生装置の信頼性を高めつつ、オート再生の機能を実現することができる。
【００７９】
（実施の形態３）
実施の形態３の磁気記録再生装置は、実施の形態１，２に比べてシンプルな構成となっている。
【００８０】
図４は実施の形態３の磁気記録再生装置の構成を示すブロック図である。実施の形態１の図１におけるのと同じ符号については本実施の形態３の図４においても同一構成要素を指しており既述のとおりであるので、ここでは要素名称のみを示すこととして、詳しい説明は省略する。また、実施の形態１において説明した事項であって本実施の形態３において改めて説明しない事項についてはそのまま本実施の形態３にも該当するものとし、詳しい説明は省略する。符号の１２はコントロールヘッド、１３はビデオヘッド、１５はコントロール信号再生回路、１６は映像信号再生回路、１７はコントロール信号有無判定回路、１８は映像信号有無判定回路、２１は第１のフォーマット判別回路、２４はフォーマット設定回路である。
【００８１】
第１のフォーマット判別回路２１は、コントロール信号有無判定信号Ｓｄに基づいてコントロール信号の有無により磁気テープに記録されているフォーマットがＤＶＣＰＲＯシリーズであるかあるいはＤＶまたはＤＶＣＡＭであるかを判別する。また、映像信号有無判定信号Ｓｅに基づいて記録済みか未記録かを判別する。そのフォーマット判別情報Ｓｉ-1がフォーマット設定回路２４に与えられ。すなわち、本実施の形態３によれば、磁気テープに記録されているフォーマットがＤＶＣＰＲＯシリーズであるか、ＤＶまたはＤＶＣＡＭであるか、あるいは未記録であるかを判別することができ、その判別結果に基づいてオート再生を実行することができる。
【００８２】
（実施の形態４）
図５は実施の形態４の磁気記録再生装置の構成を示すブロック図である。実施の形態４の磁気記録再生装置は、実施の形態１の構成からフォーマット情報抽出回路１９と第３のフォーマット判別回路２３とを除去し、第２のフォーマット判別回路２２からのフォーマット判別情報Ｓｉ-2によってフォーマット設定回路２４を制御するようにしたものである。
【００８３】
実施の形態１の図１におけるのと同じ符号については本実施の形態４の図５においても同一構成要素を指しており既述のとおりであるので、詳しい説明は省略する。この実施の形態４の磁気記録再生装置の動作については、図２において、第３のフォーマット判別回路２３にかかわる処理のステップＳ１０４〜Ｓ１０７がないものに相当すると考えてよい。すなわち、磁気テープに記録されているフォーマットがＤＶＣＰＲＯであるか、ＤＶＣＰＲＯ‐５０またはＤＶＣＰＲＯ‐Ｐであるか、ＤＶまたはＤＶＣＡＭであるかを判別することができる。また、未記録もチェックできる。当該の磁気記録再生装置がＤＶＣＰＲＯ‐５０とＤＶＣＰＲＯ‐Ｐのうちいずれか一方のみを対象とするものである場合、あるいは、ＤＶとＤＶＣＡＭのうちいずれか一方のみを対象とするものである場合にも、オート再生において充分良好に対応することができる。
【００８４】
（実施の形態５）
図６は実施の形態５の磁気記録再生装置の構成を示すブロック図である。実施の形態５の磁気記録再生装置は、図４に示す実施の形態３の構成にフォーマット情報抽出回路１９と第３のフォーマット判別回路２３とを追加し、第３のフォーマット判別回路２３からのフォーマット判別情報Ｓｉ-3によってフォーマット設定回路２４を制御するようにしたものである。これは、図１に示す実施の形態１の構成から第２のフォーマット判別回路２２およびその周辺部分を除去したものに相当している。
【００８５】
実施の形態１の図１におけるのと同じ符号については本実施の形態５の図６においても同一構成要素を指しており既述のとおりであるので、詳しい説明は省略する。この実施の形態５の磁気記録再生装置の動作については、図２において、第２のフォーマット判別回路２２にかかわる処理のステップＳ１０３がないものに相当すると考えてよい。
【００８６】
第３のフォーマット判別回路２３は、フォーマット情報抽出回路１９からのＶＡＵＸ信号のフォーマット情報Ｓｆを用いてＤＶＣＰＲＯとＤＶＣＰＲＯ‐５０とＤＶＣＰＲＯ‐Ｐとを判別することができる。
【００８７】
ただし、現在の再生フォーマットの設定が実際の磁気テープのフォーマットと異なっておれば、フォーマット情報Ｓｆを正しく読み取ることができなくなる可能性があり、その不都合を避けるために再生フォーマットをＤＶＣＰＲＯシリーズのいずれか１つ（ここではＤＶＣＰＲＯ‐５０）に仮設定してある。それで、磁気テープに記録されているフォーマットがＤＶＣＰＲＯ‐５０またはＤＶＣＰＲＯ‐Ｐであればフォーマット情報Ｓｆを正しく読み取れるが、もし、ＤＶＣＰＲＯであると、フォーマット情報Ｓｆの正しい読み取りができない。そこで、ステップＳ１０４とステップＳ１０５との間に別のステップ１０４ａ（図示せず）を設け、第３のフォーマット判別回路２３は、ステップＳ１０４ａにおいて、フォーマット情報Ｓｆが正しく読み取れたかどうかについて判断を行い、正しく読み取れたときはステップＳ１０５に進むが、正しい読み取りができなかったときは、磁気テープに記録されているフォーマットがＤＶＣＰＲＯであると判別する。
【００８８】
また、第３のフォーマット判別回路２３は、フォーマット情報抽出回路１９からのＩＴＩ信号のトラックピッチ情報ＳｆT を利用して、コントロール信号無しで、ＤＶとＤＶＣＡＭとを判別することができる。
【００８９】
本実施の形態５によれば、磁気テープに記録されているフォーマットがＤＶＣＰＲＯであるか、ＤＶＣＰＲＯ‐５０であるか、ＤＶＣＰＲＯ‐Ｐであるか、ＤＶであるか、ＤＶＣＡＭであるかを判別することができる。また、未記録もチェックでき、オート再生を良好に実施することができる。
【００９０】
以上、いくつかの実施の形態について説明してきたが、本発明は次のように構成したものも含み得るものとする。
【００９１】
（１）上記の実施の形態においては、図１に代表して示されるように、各構成要素をハードウェア構成としてあるが、必ずしもそれにとらわれる必要性はなく、複数ある構成要素のうちの任意の一部分または全部をソフトウェア構成として構築してもよい。
【００９２】
（２）上記のフォーマット情報抽出回路１９および第３のフォーマット判別回路２３を備えた実施の形態５（図６）において、実施の形態２の態様すなわち目詰まり対応の構成を援用してもよい。
【００９３】
（３）図１あるいは図４〜図６において、ビデオヘッド１３、映像信号再生回路１６、映像信号有無判定回路１８を削除し、未記録の判別は省略する形態として実施してもよい。
【００９４】
（４）上記の実施の形態においては、磁気テープに対して記録も再生も行える磁気記録再生装置について説明したが、必ずしもそれにとらわれる必要性はなく、記録機能のない再生専用の磁気再生装置に適用してもよい。
【００９５】
【発明の効果】
本発明によれば、複数種類のフォーマットの磁気テープに対して汎用の磁気記録再生装置において、いずれのフォーマットの磁気テープをセットしても、ユーザー操作をわずらわせることなく、再生フォーマットを判別フォーマットに自動的に一致させてのオート再生を実現することができる。より具体的レベルでいうと、一例として、ＤＶＣＰＲＯ、ＤＶＣＰＲＯ‐５０、ＤＶＣＰＲＯ‐Ｐ、ＤＶ、ＤＶＣＡＭを自動的に判別して、その判別結果に応じた適正な再生フォーマットを自動的に設定し、オート再生を行うことができる。
【００９６】
また、磁気テープに記録されているフォーマットの判別の途中段階でコントロール信号の有無に矛盾が生じたときに磁気テープから抽出したフォーマット情報による判別の方を優先することにより、コントロールヘッドに目詰まりが生じているような条件下にあっても、信頼性の高いオート再生を実現することができる。より具体的レベルでいうと、一例として、コントロール信号を有しないＤＶＣＰＲＯ、ＤＶＣＰＲＯ‐５０、ＤＶＣＰＲＯ‐Ｐを正しく判別することができる。
【図面の簡単な説明】
【図１】  本発明の実施の形態１の磁気記録再生装置の構成を示すブロック図
【図２】  実施の形態１の磁気記録再生装置の動作説明に供するフローチャート
【図３】  本発明の実施の形態２の磁気記録再生装置の動作説明に供するフローチャート
【図４】  本発明の実施の形態３の磁気記録再生装置の構成を示すブロック図
【図５】  本発明の実施の形態４の磁気記録再生装置の構成を示すブロック図
【図６】  本発明の実施の形態５の磁気記録再生装置の構成を示すブロック図
【図７】  従来技術にかかわる磁気記録再生装置の主要部の構成を示すブロック図
【図８】  従来技術にかかわる磁気記録再生装置の動作説明に供するフローチャート
【符号の説明】
１１…キャプスタン周波数信号発生器
１２…コントロールヘッド
１３…ビデオヘッド
１４…波形整形回路
１５…コントロール信号再生回路
１６…映像信号再生回路
１７…コントロール信号有無判定回路
１８…映像信号有無判定回路
１９…フォーマット情報抽出回路
２１…第１のフォーマット判別回路
２２…第２のフォーマット判別回路
２３…第３のフォーマット判別回路
Ｓａ…キャプスタン周波数信号
Ｓｂ…コントロール信号
Ｓｃ…再生映像信号
Ｓｄ…コントロール信号有無判定信号
Ｓｅ…映像信号有無判定信号
Ｓｆ…フォーマット情報
ＳｆT …トラックピッチ情報
Ｓｇ…第１段階フォーマット判別情報
Ｓｈ…フォーマット中間判別情報
Ｓｉ…フォーマット判別情報
【図１】
0003917351.tif 000002
【図２】
0003917351.tif 000003
【図３】
0003917351.tif 000004
【図４】
0003917351.tif 000005
【図５】
0003917351.tif 000006
【図６】
0003917351.tif 000007
【図７】
0003917351.tif 000008
【図８】
0003917351.tif 000009